(57)【要約】【課題】少ない作業工程で、短時間で、ＨＤＤユニット等のドライブユニットを増設したり、交換したりすることのできる情報処理装置を提供する。【解決手段】ドライブユニットに取り付けられているレール部材と、前記レール部材が取り付けられた前記ドライブユニットが入れられるドライブケースと、係止部を有するかんぬき部材と、を有し、前記レール部材には開口部が形成されており、前記ドライブケースには、前記レール部材の開口部に対応する位置に開口部が形成されており、前記ドライブケースの所定の位置に前記ドライブユニットを入れた状態で、前記レール部材の開口部及び前記ドライブケースの開口部には、前記かんぬき部材の係止部が入れられてることを特徴とする情報処理装置により上記課題を解決する。【選択図】図１３
2018116757.tif 000002
【特許請求の範囲】
【請求項１】
ドライブユニットに取り付けられているレール部材と、
前記レール部材が取り付けられた前記ドライブユニットが入れられるドライブケースと、
係止部を有するかんぬき部材と、
を有し、
前記レール部材には開口部が形成されており、
前記ドライブケースには、前記レール部材の開口部に対応する位置に開口部が形成されており、
前記ドライブケースの所定の位置に前記ドライブユニットを入れた状態で、前記レール部材の開口部及び前記ドライブケースの開口部には、前記かんぬき部材の係止部が入れられてることを特徴とする情報処理装置。
【請求項２】
前記ドライブケースにおいて、前記ドライブユニットが入れられる側の前面には、ばね部が設けられており、
前記レール部材には、前記ドライブケースの前面に対向する前面部が設けられており、
前記ドライブケースの所定の位置に前記ドライブユニットを入れた状態では、前記ばね部には、前記レール部材の前記前面部を押す方向に復元力が働いていることを特徴とする請求項１の記載の情報処理装置。
【請求項３】
前記レール部材の開口部の縁の前記前面部とは反対側は、前記かんぬき部材が入れられる方向に傾斜している傾斜部が設けられていることを特徴とする請求項２の記載の情報処理装置。
【請求項４】
前記ドライブケースの上面と前記かんぬき部材の上側部との間には、前記かんぬき部材の係止部が、前記レール部材の開口部及び前記ドライブケースの開口部に入れられた状態で、前記ドライブケースの上面と前記かんぬき部材の上側部とが離れる方向に復元力が働くばねが設けられていることを特徴とする請求項１から３のいずれかに記載の情報処理装置。
【発明の詳細な説明】
【技術分野】
【０００１】
本発明は、情報処理装置に関するものである。
【背景技術】
【０００２】
ディスクトップ型のパソコン（パーソナルコンピュータ）には、情報記憶媒体として取り外し可能なＨＤＤ（Hard  Disk  Drive）ユニット等が取り付けられているものがある。このようなＨＤＤユニットは、箱の中にＨＤＤが収納されているものであり、パソコンの内部には、このようなＨＤＤユニット等のドライブユニットが入るケースが設けられている。このケースは、例えば、ＨＤＤユニットやＣＤ／ＤＶＤドライブ等の５インチドライブの大きさに対応しており、５インチドライブが取り付けられる５インチベイが設けられている。このケースは、パソコンの前面側に設置されており、ＨＤＤユニット等のドライブユニットは、パソコンの前面側よりケースの所定の５インチベイに入れた後、ねじ留めにより固定されている。
【先行技術文献】
【特許文献】
【０００３】
【特許文献１】特開２００９−１６９９９４号公報
【特許文献２】特開２００４−０３９０８４号公報
【特許文献３】特開２００９−１１６９９５号公報
【特許文献４】特開平４−０５６１９４号公報
【発明の概要】
【発明が解決しようとする課題】
【０００４】
ところで、上記の方法では、パソコン内部に設置されているケースにＨＤＤユニットをねじ留めする必要があり、ＨＤＤユニットを増設したり、ＨＤＤユニットを交換したりする場合に、作業工程が多く、時間を要していた。
【０００５】
このため、情報処理装置において、少ない作業工程で、短時間で、ＨＤＤユニット等のドライブユニットを増設したり、交換したりすることのできるものが求められている。
【課題を解決するための手段】
【０００６】
本実施の形態の一観点によれば、ドライブユニットに取り付けられているレール部材と、前記レール部材が取り付けられた前記ドライブユニットが入れられるドライブケースと、係止部を有するかんぬき部材と、を有し、前記レール部材には開口部が形成されており、前記ドライブケースには、前記レール部材の開口部に対応する位置に開口部が形成されており、前記ドライブケースの所定の位置に前記ドライブユニットを入れた状態で、前記レール部材の開口部及び前記ドライブケースの開口部には、前記かんぬき部材の係止部が入れられてることを特徴とする。
【発明の効果】
【０００７】
開示の情報処理装置によれば、ドライブユニットの増設や交換を少ない作業工程で、短時間で行うことができる。
【図面の簡単な説明】
【０００８】
【図１】情報処理装置の外観の斜視図（１）
【図２】情報処理装置の外観の斜視図（２）
【図３】情報処理装置におけるＨＤＤユニットを取り外す工程の説明図（１）
【図４】情報処理装置におけるＨＤＤユニットを取り外す工程の説明図（２）
【図５】第１の実施の形態におけるドライブケースの説明図（１）
【図６】第１の実施の形態におけるドライブケースの説明図（２）
【図７】第１の実施の形態におけるレール部材の斜視図
【図８】第１の実施の形態におけるかんぬき部材の斜視図
【図９】第１の実施の形態における情報処理装置の説明図（１）
【図１０】第１の実施の形態における情報処理装置の説明図（２）
【図１１】第１の実施の形態における情報処理装置の説明図（３）
【図１２】第１の実施の形態における情報処理装置の説明図（４）
【図１３】第１の実施の形態における情報処理装置の説明図（５）
【図１４】第１の実施の形態における情報処理装置の説明図（６）
【図１５】第１の実施の形態における情報処理装置の説明図（７）
【図１６】第１の実施の形態における情報処理装置の説明図（８）
【図１７】第１の実施の形態における情報処理装置の説明図（９）
【図１８】第１の実施の形態における情報処理装置の外観の斜視図（１）
【図１９】第１の実施の形態における情報処理装置の外観の斜視図（２）
【図２０】第１の実施の形態における情報処理装置のＨＤＤユニットを取り外す工程の説明図（１）
【図２１】第１の実施の形態における情報処理装置のＨＤＤユニットを取り外す工程の説明図（２）
【図２２】第１の実施の形態における情報処理装置のＨＤＤユニットを取り外す工程の説明図（３）
【図２３】第１の実施の形態における情報処理装置のＨＤＤユニットを取り外す工程の説明図（４）
【図２４】第１の実施の形態におけるかんぬき部材とトップカバーとの関係の説明図（１）
【図２５】第１の実施の形態におけるかんぬき部材とトップカバーとの関係の説明図（２）
【図２６】第１の実施の形態におけるかんぬき部材の変形例の斜視図（１）
【図２７】第１の実施の形態におけるかんぬき部材の変形例の斜視図（２）
【図２８】第２の実施の形態における情報処理装置の説明図（１）
【図２９】第２の実施の形態における情報処理装置の説明図（２）
【図３０】第２の実施の形態における情報処理装置の説明図（３）
【図３１】第２の実施の形態における情報処理装置の説明図（４）
【図３２】第２の実施の形態における情報処理装置の説明図（５）
【図３３】第３の実施の形態における情報処理装置の説明図（１）
【図３４】第３の実施の形態における情報処理装置の説明図（２）
【図３５】第３の実施の形態における情報処理装置の説明図（３）
【発明を実施するための形態】
【０００９】
実施するための形態について、以下に説明する。尚、同じ部材等については、同一の符号を付して説明を省略する。
【００１０】
〔第１の実施の形態〕
最初に、パソコンのドライブケースに、ねじ留めにより取り付けられているＨＤＤユニットを取り外す場合について説明する。このパソコン９００は、図１及び図２に示されるように、トップカバー９１０、蓋部９２１が設けられたフロントカバー９２０、サイドカバー９３０、リアカバー９４０等の筐体に覆われている。尚、図１は、このパソコンの前方側から見た斜視図であり、図２は、後方側から見た斜視図である。
【００１１】
このパソコン９００に取り付けられているＨＤＤユニットを取り外すには、最初に、トップカバー９１０を取り外す。具体的には、トップカバー９１０は、リアカバー９４０に、３本のねじ９５１によりねじ留めされており、この３本のねじ９５１を外し、トップカバー９１０を後方にスライドさせることにより取り外すことができる。次に、フロントカバー９２０を取り外す。フロントカバー９２０はパソコン９００の本体部に、複数のねじによりねじ留めされている。このねじは、トップカバー９１０を取り外すことにより現れるため、トップカバー９１０を取り外した後、このねじを外してフロントカバー９２０を取り外す。次に、サイドカバー９３０を取り外す。サイドカバー９３０は、リアカバー９４０には、２本のねじ９５２によりねじ留めされており、また、パソコン９００の本体部には、トップカバー９１０を取り外すことにより現れるねじによりねじ留めされている。このため、トップカバー９１０を取り外した後、トップカバー９１０を取り外すことにより現れるねじと、２本のねじ９５２を外してサイドカバー９３０を取り外す。
【００１２】
図３は、パソコン９００より、トップカバー９１０、フロントカバー９２０、サイドカバー９３０の一方を取り外した状態の斜視図である。尚、図３では、便宜上、トップカバー９１０を取り外すことにより露出するねじであるフロントカバー９２０を取り付けるためのねじ９５３と、サイドカバー９３０の取り付けるためのねじ９５４を図示している。このように、トップカバー９１０、フロントカバー９２０、サイドカバー９３０を取り外すことにより、ＨＤＤユニット９６０と、ＨＤＤユニット９６０が収納されているドライブケース９７０が現れる。このドライブケース９７０は、図３に示されるように、例えば、５インチベイ等と呼ばれる取り付け箇所に、ＨＤＤユニット９６０やＣＤ／ＤＶＤドライブ等の５インチドライブユニットを３つまで取り付けることができる。
【００１３】
ＨＤＤユニット９６０には、レール部材９６１が取り付けられている。レール部材９６１が取り付けられているＨＤＤユニット９６０は、ドライブケース９７０の所定の取り付け箇所に入れられた状態で、前面側において、２本のねじ９５５により、ドライブケース９７０にレール部材９６１がねじ留めされている。このため、この２本のねじ９５５を外さなければ、図４に示すように、ＨＤＤユニット９６０をドライブケース９７０より取り外すことができない。
【００１４】
従って、ＨＤＤユニット９６０を交換する際には、トップカバー９１０、フロントカバー９２０等を取り外した後、２本のねじ９５５を外し、ドライブケース９７０よりレール部材９６１が取り付けられているＨＤＤユニット９６０を引き出す。この後、別のＨＤＤユニットをドライブケース９７０の取り付け箇所に入れ、上記と逆の工程を行う。このため、ＨＤＤユニット９６０の交換は、作業工程が多く、時間を要していた。
【００１５】
尚、図３には、ドライブケース９７０の３つの取り付け箇所の１つにＨＤＤユニット９６０が取り付けられており、残りの２つには、ドライブユニット等は取り付けられておらず、ダミー９５８が取り付けられている状態を示している。各々のダミー９５８も同様に、ドライブケース９７０の前面側に、ダミー９５８に取り付けられているレール等が、２本のねじ９５５により各々取り付けられている。よって、ＨＤＤユニットを増設する際にも、トップカバー９１０、フロントカバー９２０等を取り外した後、２本のねじ９５５を外し、ダミー９５８を取り外した後、新たなＨＤＤユニットをドライブケース９７０の取り付け箇所に入れ、上記と逆の工程を行う。このため、ＨＤＤユニット９６０の増設にも、作業工程が多く、時間を要していた。
【００１６】
（ドライブケース及びかんぬき部）
次に、本実施の形態における情報処理装置であるパソコンについて説明する。本実施の形態における情報処理装置は、図５及び図６に示されるドライブケース７０と、図７に示されるＨＤＤユニットの左右の両側取り付けられるレール部材６１と、図８に示されるかんぬき部材８０とを有している。図５（ａ）はドライブケース７０の斜視図であり、図５（ｂ）は図５（ａ）における一点鎖線５Ａにより囲まれた領域の拡大図である。図６はドライブケース７０の側面の内側の部分の断面図である。
【００１７】
図５及び図６に示されるように、本実施の形態におけるドライブケース７０は、ＨＤＤユニットやＣＤ／ＤＶＤドライブ等の５インチドライブユニットを３つまで取り付け可能なものである。このドライブケース７０において、各々のドライブユニットが取り付けられる箇所には、前面側から奥に向かって伸びる第１のレールガイド７１及び第２のレールガイド７２が設けられている。第１のレールガイド７１には、２カ所に第１の溝７３が設けられており、第２のレールガイド７２には、２カ所に第２の溝７４が設けられている。第１の溝７３と第２の溝７４の設けられている位置は、第１のレールガイド７１及び第２のレールガイド７２の伸びる方向に対し、略垂直方向に重なるように形成されている。
【００１８】
また、情報処理装置に取り付けられるＨＤＤユニットの左右の両側には、図７に示されるようなレール部材６１が取り付けられている。このレール部材６１には、第１のレール６２と第２のレール６３が設けられており、第１のレール６２には、２カ所に第１の溝６４が設けられており、第２のレール６３には、２カ所に第２の溝６５が設けられている。第１のレール６２の第１の溝６４は、第１のレールガイド７１の第１の溝７３に対応する位置に設けられており、第２のレール６３の第２の溝６５は、第２のレールガイド７２の第２の溝７４に対応する位置に設けられている。
【００１９】
かんぬき部材８０は、図８に示されるように長手方向の一方の端が折り曲げられて上側部８１が形成されている。また、かんぬき部材８０の両側の側面、即ち、かんぬき部材８０の短手方向の両側には、長手方向に沿って第１の係止部８２と第２の係止部８３とが交互に設けられている。即ち、第１の係止部８２及び第２の係止部８３は、ドライブケース７０に取り付けられる３つのドライブユニットに対応して設けられており、かんぬき部材８０の短手方向の両側に、長手方向に沿って各々３つずつ交互に設けられている。
【００２０】
図９は、本実施の形態において、ドライブケース７０にかんぬき部材８０が取り付けられている状態を示す。かんぬき部材８０は、かんぬき部材８０の上側部８１が上になるように、ドライブケース７０の側面７０ａに設けられた２カ所のかんぬき部材支持部７９により支持されている。かんぬき部材８０は、かんぬき部材８０が上下方向に可動可能な状態で支持されており、ドライブケース７０の両側の側面７０ａに、各々設けられている。
【００２１】
本実施の形態においては、図１０に示されるように、レール部材６１が取り付けられているＨＤＤユニット６０をドライブケース７０の所定の位置まで入れた後、かんぬき部材８０により固定する。具体的には、ＨＤＤユニット６０をドライブケース７０の所定の位置まで入れた後、かんぬき部材８０を下に動かすことにより、ＨＤＤユニット６０に取り付けられているレール部材６１をドライブケース７０に固定することができる。これにより、ドライブケース７０にＨＤＤユニット６０が取り付けられる。本願においては、ＨＤＤユニット６０等のドライブケース７０に取り付けられるユニットをドライブユニットと記載する場合がある。
【００２２】
より詳細に説明すると、ドライブケース７０に、レール部材６１が取り付けられているＨＤＤユニット６０を取り付ける際には、最初に、ドライブケース７０に、レール部材６１が取り付けられているＨＤＤユニット６０を入れる。具体的には、図１１に示されるように、ドライブケース７０にレール部材６１が取り付けられているＨＤＤユニット６０を破線矢印Ａに示す方向に入れる。図１１は、ドライブケース７０にレール部材６１が取り付けられているＨＤＤユニット６０が入れられている途中の状態の要部の斜視図である。
【００２３】
図１２は、ドライブケース７０にレール部材６１が取り付けられているＨＤＤユニット６０が所定の位置まで入れた状態の要部の断面を示している。この状態では、レール部材６１の第１のレール６２に設けられている第１の溝６４の位置と、ドライブケース７０の第１のレールガイド７１に設けられた第１の溝７３の位置とが、図面において上下方向において一致している。同様に、レール部材６１の第２のレール６３に設けられている第２の溝６５の位置と、ドライブケース７０の第２のレールガイド７２に設けられた第２の溝７４の位置とが、図面において上下方向において一致している。
【００２４】
この状態において、図面において下方向にかんぬき部材８０をおろす。これにより、図１３に示すように、レール部材６１の第１のレール６２に設けられている第１の溝６４及びドライブケース７０の第１のレールガイド７１に設けられた第１の溝７３に、かんぬき部材８０の第１の係止部８２が入る。同様に、レール部材６１の第２のレール６３に設けられている第２の溝６５及びドライブケース７０の第２のレールガイド７２に設けられた第２の溝７４に、かんぬき部材８０の第２の係止部８３が入る。これにより、かんぬき部材８０の第１の係止部８２及び第２の係止部８３により、ＨＤＤユニット６０に取り付けられているレール部材６１がドライブケース７０に固定される。図１４は、この状態の要部を示す斜視図である。
【００２５】
図１５は、図１３における一点鎖線１３Ａ−１３Ｂにおいて切断した断面図である。図１５に示されるように、ＨＤＤユニット６０に取り付けられたレール部材６１の第１のレール６２及び第２のレール６３が、ドライブケース７０の第１のレールガイド７１と第２のレールガイド７２との間に挟まれた状態で入っている。
【００２６】
本実施の形態における情報処理装置においては、ＨＤＤユニット６０を取り付けたり、取り外したりする際には、ねじを締めたり外したりする必要がなく、かんぬき部材８０を上下に動かすだけでよい。このため、ＨＤＤユニットの交換や増設に要する作業工程を減らすことができ、ＨＤＤユニットの交換や増設を短時間で行うことができる。また、ＨＤＤユニットの固定にねじを用いていないため、ねじを紛失したり締め忘れたりということを防ぐことができる。
【００２７】
本実施の形態においては、レール部材６１の第１の溝６４及び第２の溝６５、ドライブケース７０の第１の溝７３及び第２の溝７４の幅は、かんぬき部材８０の第１の係止部８２及び第２の係止部８３の部分の厚さよりも広く形成されている。これは、レール部材６１の第１の溝６４及びレール部材６１の第２の溝６５に、かんぬき部材８０の第１の係止部８２及び第２の係止部８３をスムースに入れることができるようにするため、また、製造誤差等を考慮しているからである。このため、レール部材６１の第１の溝６４とかんぬき部材８０の第１の係止部８２との間、レール部材６１の第２の溝６５とかんぬき部材８０の第２の係止部８３との間には隙間が生じる場合がある。このような隙間が生じると、レール部材６１は、ドライブケース７０に対して動きやすく位置が不安定となり、レール部材６１が取り付けられているＨＤＤユニット６０ががたつく場合がある。
【００２８】
このため、本実施の形態においては、図１６に示されるように、ドライブケース７０の前面７０ｂには、ばね部７５を有するばね部材７６が取り付けられている。ばね部７５は板ばね等により形成されている。図１３等に示されるように、レール部材６１が取り付けられているＨＤＤユニット６０をドライブケース７０の所定の位置まで入れた状態では、レール部材６１の入口側に設けられた前面部６６がばね部７５により外に向かって押されている。即ち、レール部材６１が取り付けられているＨＤＤユニット６０をドライブケース７０の所定の位置まで入れた状態では、ばね部７５には、レール部材６１の前面部６６を外に向かって押す復元力が働いている。
【００２９】
従って、ばね部７５の復元力により、図１３に示される状態から更に、レール部材６１は左側に押され、レール部材６１の第１の溝６４の右側とかんぬき部材８０の第１の係止部８２の右側が接触し、更に、第１の係止部８２は左側に押されている。同様に、ばね部７５の復元力により、レール部材６１の第２の溝６５の右側とかんぬき部材８０の第２の係止部８３の右側が接触し、更に、第２の係止部８３は左側に押されている。これにより、がたつき等が発生することを抑制することができる。尚、上記においては、ばね部７５が設けられているばね部材７６を取り付けた場合について説明したが、ドライブケース７０の前面７０ｂの一部を加工することにより、ばね部を形成したものであってもよい。
【００３０】
また、本実施の形態においては、ばね部７５によりレール部材６１の取り付けられているＨＤＤユニット６０が外に出る方向に復元力が働いている。このため、レール部材６１の第１のレール６２の第１の溝６４等に、かんぬき部材８０の第１の係止部８２等を入れる際に入れにくくなる可能性がある。このため、図１７に示すように、レール部材６１の第１のレール６２の第１の溝６４の右側（第１の溝６４の縁の右側）を下向き、即ち、かんぬき部材８０の第１の係止部８２が入れられる方向に少し折り曲げ傾斜部１６４を設けたものであってもよい。このように、第１の溝６４に傾斜部１６４を設けることにより、かんぬき部材８０を下におろした際に、かんぬき部材８０の第１の係止部８２の下端の右側が、第１のレール６２の第１の溝６４の傾斜部１６４に接触し、更にレール部材６１を右側に押す。これにより、レール部材６１の第１のレール６２の第１の溝６４に、かんぬき部材８０の第１の係止部８２を円滑に入れることができる。
【００３１】
（情報処理装置）
次に、本実施の形態における情報処理装置に取り付けられているＨＤＤユニット６０を取り外す場合について説明する。本実施の形態における情報処理装置はパソコン１００であり、図１８及び図１９に示されるように、トップカバー１１０、蓋部１２１が設けられたフロントカバー１２０、サイドカバー１３０、リアカバー１４０等の筐体に覆われている。尚、図１８は、本実施の形態におけるパソコン１００の前方側から見た斜視図であり、図１９は、後方側から見た斜視図である。図１８では、フロントカバー１２０の蓋部１２１が開いた状態を示している。
【００３２】
本実施の形態におけるパソコン１００に取り付けられているＨＤＤユニット６０を取り外すには、最初に、トップカバー１１０を取り外す。具体的には、トップカバー１１０は、リアカバー１４０に、３本のねじ１５１によりねじ留めされており、この３本のねじ１５１を外し、図２０に示すように、トップカバー１１０を後方にスライドさせることにより、トップカバー１１０を取り外すことができる。図２１は、トップカバー１１０が取り外された状態の斜視図であり、図２２は、上面図である。
【００３３】
この後、かんぬき部材８０の上側部８１を上にあげて動かす。これにより、図１２に示すように、かんぬき部材８０の第１の係止部８２は、レール部材６１の第１のレール６２の第１の溝６４及びドライブケース７０の第１のレールガイド７１の第１の溝７３から外に出る。同様に、かんぬき部材８０の第２の係止部８３は、レール部材６１の第２のレール６３の第２の溝６５及びドライブケース７０の第２のレールガイド７２の第２の溝７４から外に出る。これにより、レール部材６１は、前方に動くことが可能となり、図２３に示すように、レール部材６１が取り付けられているＨＤＤユニット６０を前方に出して取り外すことができる。即ち、本実施の形態においては、トップカバー１１０を取り外し、フロントカバー１２０を取り外すことなく、フロントカバー１２０に取り付けられている蓋部１２１を開くことにより、ＨＤＤユニットの交換等をすることができる。
【００３４】
この後、ＨＤＤユニットを交換する際には、ドライブケース７０の５インチベイに、レール部材６１が取り付けられている別のＨＤＤユニットを所定の位置まで入れ、かんぬき部材８０を下げる。これにより、別のＨＤＤユニットに取り付けられているレール部材６１が、かんぬき部材８０によりドライブケース７０に支持され、前方に出ないように固定される。
【００３５】
従って、本実施の形態においては、ＨＤＤユニット６０に取り付けられているレール部材６１をねじ留めすることなく取り付けることができるため、フロントカバー１２０を取り外すことなく、ＨＤＤユニットを交換及び増設することができる。よって、ＨＤＤユニットにおける交換及び増設の作業工程を減らすことができ、短時間でＨＤＤユニットを交換及び増設することができる。
【００３６】
ＨＤＤユニットの交換及び増設を行った後は、トップカバー１１０をスライドさせて被せる。この際、図２４に示すように、かんぬき部材８０を下におろすのを忘れた場合には、かんぬき部材８０は上にあがった状態にあるため、トップカバー１１０をスライドして閉じようとしても、トップカバー１１０とかんぬき部材８０の上側部８１とがぶつかる。従って、トップカバー１１０を閉じることができない。即ち、かんぬき部材８０は上にあがった状態では、トップカバー１１０の前面端部１１１とかんぬき部材８０の上側部８１とがぶつかるため閉じることができず、かんぬき部材８０を下におろすのを忘れたことに気付く。よって、この場合には、図２５に示されるように、かんぬき部材８０を下にさげることにより、トップカバー１１０の前面端部１１１とかんぬき部材８０の上側部８１とがぶつかることなく、トップカバー１１０をスライドさせて閉じることができる。尚、図２４（ａ）は、かんぬき部材８０が上にあがった状態の斜視図であり、図２４（ｂ）は断面図である。また、図２５（ａ）は、かんぬき部材８０が下にさがった状態の斜視図であり、図２５（ｂ）は断面図である。
【００３７】
上記においては、かんぬき部材８０の短手方向の両側に、長手方向に沿った第１の係止部８２及び第２の係止部８３が、２列設けられている構造のものについて説明した。しかしながら、第１の係止部８２及び第２の係止部８３は、１列のものであってもよい。具体的には、図２６（ａ）に示されるように、側面の一方の側にのみ長手方向に沿って第１の係止部８２と第２の係止部８３とが交互に設けられたかんぬき部材８０ａであってもよい。また、図２６（ｂ）に示されるように、中央部分において長手方向に沿って第１の係止部８２と第２の係止部８３とが交互に設けられたかんぬき部材８０ｂであってもよい。また、図２７（ａ）に示されるように、第１の係止部８２と第２の係止部８３とが交互に形成された板状のかんぬき部材８０ｃであってもよい。また、図２７（ｂ）に示されるように、第１の係止部８２と第２の係止部８３とが交互に形成された棒状のかんぬき部材８０ｄであってもよい。
【００３８】
〔第２の実施の形態〕
次に、第２の実施の形態について説明する。
【００３９】
本実施の形態における情報処理装置は、図２８に示されるように、ドライブケース７０の上面７０ｃとかんぬき部材１８０の上側部１８１の内側の面１８１ａとの間に、ばね１８４が設けられている。このばね１８４はコイルばね等であり、ドライブケース７０の上面７０ｃとかんぬき部材１８０の上側部１８１の内側の面１８１ａとの間に入れられた状態で、かんぬき部材１８０の上側部１８１を上にあげる方向に復元力が働いている。また、図２８等に示されるように、かんぬき部材１８０の上側部１８１の右側は、入口側から離れるに伴い徐々に下にさがる傾斜を有する傾斜部分１８５が設けられている。尚、かんぬき部材１８０は、第１の実施の形態と同様に、かんぬき部材８０の短手方向の両側に、長手方向に沿って第１の係止部８２と第２の係止部８３とが交互に設けられている。
【００４０】
図２９は、本実施の形態の情報処理装置において、トップカバー１１０が閉じられている状態を示す。尚、図２９を含め後述する図３０及び図３１では、便宜上、レール部材６１の一部は省略されているものとする。この状態では、かんぬき部材１８０の第１の係止部８２は、ドライブケース７０の第１のレールガイド７１の第１の溝７３及び不図示のレール部材６１の第１のレール６２の第１の溝６４に入っている。また、かんぬき部材１８０の第２の係止部８３は、ドライブケース７０の第２のレールガイド７２の第２の溝７４及び不図示のレール部材６１の第２のレール６３の第２の溝６５に入っている。このため、レール部材６１が取り付けられているＨＤＤユニット６０は、かんぬき部材１８０により、ドライブケース７０に固定されている。
【００４１】
この後、ＨＤＤユニットを交換するため、図３０に示すように、トップカバー１１０を右方向にスライドさせて開く。トップカバー１１０を右方向にスライドさせて開くと、かんぬき部材１８０の上側部１８１を覆っていたトップカバー１１０が外れ、ばね１８４の復元力により、かんぬき部材１８０の上側部１８１が上にあがる。これにより、かんぬき部材１８０の第１の係止部８２は、ドライブケース７０の第１のレールガイド７１の第１の溝７３及び不図示のレール部材６１の第１のレール６２の第１の溝６４から外に出る。また、かんぬき部材１８０の第２の係止部８３は、ドライブケース７０の第２のレールガイド７２の第２の溝７４及び不図示のレール部材６１の第２のレール６３の第２の溝６５から外に出る。これにより、レール部材６１が取り付けられているＨＤＤユニット６０が取り外し可能な状態となる。即ち、本実施の形態においては、手動により、かんぬき部材１８０の上側部１８１を上にあげなくとも、トップカバー１１０を開くことにより、ばね１８４の復元力で、自ずとかんぬき部材１８０を上にあがる。
【００４２】
この後、別のＨＤＤユニットを交換した後は、図３１に示すようにトップカバー１１０を左方向にスライドさせる。これにより、トップカバー１１０の左端の前面端部１１１が、かんぬき部材１８０の上側部１８１の傾斜部分１８５と接触する。この後、更に、トップカバー１１０を左方向にスライドして動かすことにより、トップカバー１１０の前面端部１１１により、かんぬき部材１８０の上側部１８１の傾斜部分１８５が徐々に押され、かんぬき部材１８０が下にさがる。
【００４３】
図３２に示すように、かんぬき部材１８０の上側部１８１の傾斜部分１８５がトップカバー１１０に覆われた状態となる。このように図３２に示される状態では、かんぬき部材１８０の第１の係止部８２は、ドライブケース７０の第１のレールガイド７１の第１の溝７３及び不図示のレール部材６１の第１のレール６２の第１の溝６４に入る。また、かんぬき部材１８０の第２の係止部８３は、ドライブケース７０の第２のレールガイド７２の第２の溝７４及び不図示のレール部材６１の第２のレール６３の第２の溝６５に入る。従って、別のＨＤＤユニットのレール部材６１は、かんぬき部材１８０により支持されて固定される。この後、更にトップカバー１１０を左方向にスライドさせて動かすことにより、図２９に示す状態となり、トップカバー１１０は完全に閉じられる。
【００４４】
このように、本実施の形態においては、トップカバー１１０を開くことにより、ばね１８４の復元力で、かんぬき部材１８０を上にあげることができ、また、トップカバー１１０を閉じることにより、かんぬき部材１８０を下にさげることができる。このため、ＨＤＤユニットの交換の際の作業工程をより一層減らすことができ、短時間でＨＤＤユニットを交換及び増設することができる。
【００４５】
尚、上記以外の内容については、第１の実施の形態と同様である。
【００４６】
〔第３の実施の形態〕
次に、第３の実施の形態について説明する。
【００４７】
本実施の形態における情報処理装置では、図３３〜図３５に示されるように、かんぬき部材８０の第１の係止部８２の下側が前方側に曲げられて傾斜部８２ａが形成されている。また、レール部材６１の第１のレール６２の最も奥に入る先端は下側に曲げられて傾斜部６２ａが形成されており、第１の溝６４の右側は下側に曲げられた傾斜部６４ａが形成されている。尚、図３３〜図３５では、右側が、ドライブケース７０等の前方となる。
【００４８】
図３３及び図３４に基づきドライブケース７０にレール部材６１が取り付けられたＨＤＤユニット６０を左側から入れる場合について説明する。
【００４９】
最初に、図３３（ａ）に示されるように、ドライブケース７０にレール部材６１が取り付けられたＨＤＤユニット６０を左側から入れる。レール部材６１を右側に動かした場合、かんぬき部材８０の第１の係止部８２が、ドライブケース７０の第１のレールガイド７１の第１の溝７３より少し出ていると、第１のレール６２の傾斜部６２ａとかんぬき部材８０の第１の係止部８２の下端とが接触する。更に、レール部材６１を右側に動かすことにより、図３３（ｂ）に示すように、かんぬき部材８０の第１の係止部８２の下端が、レール部材６１の傾斜部６２ａにより押されて、上に持ちあげられる。従って、かんぬき部材８０の第１の係止部８２が、ドライブケース７０の第１のレールガイド７１の第１の溝７３より少し出ていても、円滑にレール部材６１を入れることができる。
【００５０】
この後、更に、レール部材６１を右に動かすことにより、図３４（ａ）に示す状態を経た後、図３４（ｂ）に示すように、レール部材６１がドライブケース７０の所定の位置まで入れられる。この状態では、ドライブケース７０の第１のレールガイド７１の第１の溝７３とレール部材６１の第１のレール６２の第１の溝６４の位置とが一致し、第２のレールガイド７２の第２の溝７４と第２のレール６３の第２の溝６５の位置とが一致している。よって、かんぬき部材８０を下にさげることにより、かんぬき部材８０の第１の係止部８２が、ドライブケース７０の第１のレールガイド７１の第１の溝７３とレール部材６１の第１のレール６２の第１の溝６４の間に入る。
【００５１】
この際、第１のレールガイド７１の第１の溝７３と第１のレール６２の第１の溝６４の位置が僅かにずれていると、かんぬき部材８０の第１の係止部８２の傾斜部８２ａとレール部材６１の第１のレール６２の第１の溝６４の傾斜部６４ａとが接触する。この状態で、かんぬき部材８０を下にさげると、かんぬき部材８０の第１の係止部８２の傾斜部８２ａにより、レール部材６１の第１のレール６２の第１の溝６４の傾斜部６４ａが右側に押され、第１の溝６４に第１の係止部８２を円滑に入れることができる。尚、本実施の形態では、かんぬき部材８０は不図示の機構等により、下方向に力が加えられているものであってもよい。この場合には、図３４（ｂ）に示す状態になると、自動的に、かんぬき部材８０が下にさがる。
【００５２】
次に、図３４（ｂ）及び図３５に基づき、ドライブケース７０よりレール部材６１を出す場合について説明する。具体的には、図３４（ｂ）に示されるように、かんぬき部材８０の第１の係止部８２の傾斜部８２ａとレール部材６１の第１のレール６２の第１の溝６４の傾斜部６４ａとが接触している状態から、レール部材６１を左に動かす。これにより、図３５に示されるように、レール部材６１の第１のレール６２の第１の溝６４の傾斜部６４ａにより、かんぬき部材８０の第１の係止部８２の傾斜部８２ａが押され、かんぬき部材８０が上に持ちあげられる。これにより、円滑にレール部材６１を引き出すことができる。
【００５３】
尚、上記以外の内容については、第１の実施の形態と同様である。
【００５４】
また、上記の実施の形態においおては、ドライブケース７０に第１の溝７３及び第２の溝７４、レール部材６１に第１の溝６４及び第２の溝６５を設けた場合について説明した。しかしながら、ドライブケース７０及びレール部材６１に設けられるものは、溝ではなくともよく、穴等であってもよい。このため、本願においては、ドライブケース７０に第１の溝７３及び第２の溝７４、レール部材６１に第１の溝６４及び第２の溝６５を開口部と記載する場合がある。
【００５５】
以上、実施の形態について詳述したが、特定の実施形態に限定されるものではなく、特許請求の範囲に記載された範囲内において、種々の変形及び変更が可能である。
【００５６】
上記の説明に関し、更に以下の付記を開示する。
（付記１）
ドライブユニットに取り付けられているレール部材と、
前記レール部材が取り付けられた前記ドライブユニットが入れられるドライブケースと、
係止部を有するかんぬき部材と、
を有し、
前記レール部材には開口部が形成されており、
前記ドライブケースには、前記レール部材の開口部に対応する位置に開口部が形成されており、
前記ドライブケースの所定の位置に前記ドライブユニットを入れた状態で、前記レール部材の開口部及び前記ドライブケースの開口部には、前記かんぬき部材の係止部が入れられてることを特徴とする情報処理装置。
（付記２）
前記ドライブケースにおいて、前記ドライブユニットが入れられる側の前面には、ばね部が設けられており、
前記レール部材には、前記ドライブケースの前面に対向する前面部が設けられており、
前記ドライブケースの所定の位置に前記ドライブユニットを入れた状態では、前記ばね部には、前記レール部材の前記前面部を押す方向に復元力が働いていることを特徴とする付記１の記載の情報処理装置。
（付記３）
前記レール部材の開口部の縁の前記前面部とは反対側は、前記かんぬき部材が入れられる方向に傾斜している傾斜部が設けられていることを特徴とする付記２の記載の情報処理装置。
（付記４）
前記ドライブケースの上面と前記かんぬき部材の上側部との間には、前記かんぬき部材の係止部が、前記レール部材の開口部及び前記ドライブケースの開口部に入れられた状態で、前記ドライブケースの上面と前記かんぬき部材の上側部とが離れる方向に復元力が働くばねが設けられていることを特徴とする付記１から３のいずれかに記載の情報処理装置。
（付記５）
前記かんぬき部材の上側部は、前記情報処理装置の筐体のトップカバーにより、上が押さえられていることを特徴とする付記４に記載の情報処理装置。
【符号の説明】
【００５７】
６０        ＨＤＤユニット
６１        レール部材
６２        第１のレール
６３        第２のレール
６４        第１の溝
６５        第２の溝
６６        前面部
７０        ドライブケース
７０ａ      側面
７０ｂ      前面
７０ｃ      上面
７１        第１のレールガイド
７２        第２のレールガイド
７３        第１の溝
７４        第２の溝
７５        ばね部
７６        ばね部材
７９        かんぬき部材支持部
８０        かんぬき部材
８１        上側部
８２        第１の係止部
８３        第２の係止部
１００      パソコン
１１０      トップカバー
１２０      フロントカバー
１２１      蓋部
１３０      サイドカバー
１４０      リアカバー
１５１      ねじ
【図１】
2018116757.tif 000003
【図２】
2018116757.tif 000004
【図３】
2018116757.tif 000005
【図４】
2018116757.tif 000006
【図５】
2018116757.tif 000007
【図６】
2018116757.tif 000008
【図７】
2018116757.tif 000009
【図８】
2018116757.tif 000010
【図９】
2018116757.tif 000011
【図１０】
2018116757.tif 000012
【図１１】
2018116757.tif 000013
【図１２】
2018116757.tif 000014
【図１３】
2018116757.tif 000015
【図１４】
2018116757.tif 000016
【図１５】
2018116757.tif 000017
【図１６】
2018116757.tif 000018
【図１７】
2018116757.tif 000019
【図１８】
2018116757.tif 000020
【図１９】
2018116757.tif 000021
【図２０】
2018116757.tif 000022
【図２１】
2018116757.tif 000023
【図２２】
2018116757.tif 000024
【図２３】
2018116757.tif 000025
【図２４】
2018116757.tif 000026
【図２５】
2018116757.tif 000027
【図２６】
2018116757.tif 000028
【図２７】
2018116757.tif 000029
【図２８】
2018116757.tif 000030
【図２９】
2018116757.tif 000031
【図３０】
2018116757.tif 000032
【図３１】
2018116757.tif 000033
【図３２】
2018116757.tif 000034
【図３３】
2018116757.tif 000035
【図３４】
2018116757.tif 000036
【図３５】
2018116757.tif 000037